(57)【要約】【課題】吐出された内容物を両手で受け取ることができるうえ、内容物の吐出操作、及び吐出された内容物の受け取りを片手だけで行う。【解決手段】吐出器１は、ステム３と、ステム３を上下動可能に収容すると共にステム３内に連通し、ステム３の下方移動に伴うステム３からの内容物を貯留する貯留シリンダ１０と、貯留シリンダ１０内に連通するノズル筒１２と、ステム３に連係して上下動すると共に、貯留シリンダ１０内に上下摺動可能に配設された吐出ピストン１３と、ステム３に連係して上下動する押下ヘッド５と、押下ヘッド５の後側に配設された支持部６と、支持部６に回転軸Ｌ回りに回転可能に支持され、押下ヘッド５を押し下げるレバー７と、を備え、ノズル筒１２は、貯留シリンダ１０側から前方に向けて延び、レバー７は、押下ヘッド５を押し下げた状態で、ノズル筒１２にノズル筒１２の上方から対向する。【選択図】図３
2018002201.tif 000002
【特許請求の範囲】
【請求項１】
内容物が収容される容器本体の口部に、上方付勢状態で下方移動可能に配設されるステムと、
前記ステムを上下動可能に収容すると共に前記ステム内に連通し、前記ステムの下方移動に伴う前記ステムからの内容物を貯留する貯留シリンダと、
前記貯留シリンダ内に連通し、且つ内容物を吐出する吐出孔が形成されたノズル筒と、
前記ステムに連係して上下動すると共に、前記貯留シリンダ内に上下摺動可能に配設された吐出ピストンと、
前記ステムに連係して上下動する押下ヘッドと、
前記押下ヘッドの後側に配設された支持部と、
前記貯留シリンダの上方に配設されるとともに前記支持部に回転軸回りに回転可能に支持され、前記押下ヘッドを押し下げるレバーと、を備え、
前記ノズル筒は、前記貯留シリンダ側から前方に向けて延び、
前記レバーは、前記押下ヘッドの上部を跨いで前後方向に延びるとともに、前記押下ヘッドを押し下げた状態で、前記ノズル筒に前記ノズル筒の上方から対向する吐出器。
【請求項２】
請求項１に記載の吐出器において、
前記吐出孔は、前記ノズル筒の前端部に形成され、
前記レバーが前記押下ヘッドを押し下げた状態で、前記レバーの前端部と前記ノズル筒の前端部とが上下方向で互いに対向する吐出器。
【請求項３】
請求項１または２に記載の吐出器において、
前記ステム内に連通した液用シリンダと、
前記ステムに連係して上下動すると共に、前記液用シリンダ内に上下摺動可能に配設され、前記ステムの下方移動に伴って前記液用シリンダ内の内容物を前記ステム内に供給する液用ピストンと、を備える吐出器。
【請求項４】
請求項３に記載の吐出器において、
前記貯留シリンダの内容積のうち前記吐出ピストンの下方移動に伴って増加する増加容積は、前記液用シリンダの内容積のうち前記液用ピストンの下方移動に伴って減少する容積分以上の容積とされている吐出器。
【発明の詳細な説明】
【技術分野】
【０００１】
本発明は、吐出器に関する。
【背景技術】
【０００２】
従来から、例えば下記特許文献１に示されるように、容器本体の口部に装着される有頂筒状の装着キャップと、装着キャップに上方付勢状態で下方移動可能に貫設されたステムを有するポンプと、ステムの上端部に装着されると共に吐出孔が形成された押下ヘッドと、を備えた吐出器が知られている。
上記ポンプは、ステムに連係して上下動するピストンと、ピストンが上下摺動可能に嵌合されたシリンダと、シリンダの下端開口を開閉する下部弁体と、を主に備えている。
【０００３】
このように構成された吐出器では、押下ヘッドの押下によりステムを下方に移動させることで、シリンダに対してピストンを下降させることができる。これにより、シリンダ内の内容物をステム内に流入させた後、吐出孔を通じて外部に吐出することができる。
【先行技術文献】
【特許文献】
【０００４】
【特許文献１】特開２０１２−２３２２２８号公報
【発明の概要】
【発明が解決しようとする課題】
【０００５】
しかしながら、上記従来の吐出器では、押下ヘッドの押下時に内容物が吐出されるので、例えば手の平に内容物を吐出する場合には、片手（押下ヘッドを押下している手とは反対の手）で内容物を受け取ることになり、両手で受け取ることが難しかった。
また、何らかの理由によって片手が塞がっている場合（子供を抱いている場合等）には、もう一方の片手で押下ヘッドを押下できたとしても、吐出された内容物をその手で受け取ることが難しい。
【０００６】
本発明は、このような事情に鑑みてなされたものであって、その目的は、吐出された内容物を両手で受け取ることができるうえ、内容物の吐出操作、及び吐出された内容物の受け取りを片手だけで行うことができる吐出器を提供することである。
【課題を解決するための手段】
【０００７】
前記課題を解決するために、本発明は以下の手段を提案している。
本発明に係る吐出器は、内容物が収容される容器本体の口部に、上方付勢状態で下方移動可能に配設されるステムと、前記ステムを上下動可能に収容すると共に前記ステム内に連通し、前記ステムの下方移動に伴う前記ステムからの内容物を貯留する貯留シリンダと、前記貯留シリンダ内に連通し、且つ内容物を吐出する吐出孔が形成されたノズル筒と、前記ステムに連係して上下動すると共に、前記貯留シリンダ内に上下摺動可能に配設された吐出ピストンと、前記ステムに連係して上下動する押下ヘッドと、前記押下ヘッドの後側に配設された支持部と、前記貯留シリンダの上方に配設されるとともに前記支持部に回転軸回りに回転可能に支持され、前記押下ヘッドを押し下げるレバーと、を備え、前記ノズル筒は、前記貯留シリンダ側から前方に向けて延び、前記レバーは、前記押下ヘッドの上部を跨いで前後方向に延びるとともに、前記押下ヘッドを押し下げた状態で、前記ノズル筒に前記ノズル筒の上方から対向する。
【０００８】
本発明によれば、レバーに回転力（押下力）を付与してレバーを回転軸回りに回転させ、レバーによって押下ヘッドを押し下げることで、ステムを下方移動させることができる。そして、貯留シリンダに対してステムを下方移動させることで、吐出ピストンを貯留シリンダ内で下方移動させることができると共に、ステムからの内容物を貯留シリンダ内に一旦貯留することができる。このとき、レバーが、ノズル筒にノズル筒の上方から対向していることで、レバーを操作している手を、ノズル筒に接近させることができる。その後、レバーへの回転力の付与を解除し、ステムの下方移動を解除すると、ステムは上方付勢力によって上方に復元移動する。そのため、吐出ピストンは、ステムの復元移動に伴って貯留シリンダ内を上方移動し、貯留シリンダ内に貯留された内容物を貯留シリンダ内から押し出すようにノズル筒内に供給する。これにより、吐出孔を通じて内容物を外部に吐出することができる。
【０００９】
このように、貯留シリンダ内に内容物を一旦貯留できるので、押下げ操作等によってステムを下方移動させたときに内容物が吐出されることを防止でき、その後、ステムを上方に復元移動させたときに内容物を吐出させることができる。
従って、吐出された内容物を、片手だけでなく両手で受け取ることができる。さらに、例えば片手が何等かの理由で塞がっている場合（例えば子供を抱いている場合や、荷物を持っている場合等）であっても、もう一方の片手だけで、内容物の吐出操作及び吐出された内容物の受け取りを行うことができる。従って、非常に使い易く、利便性を向上することができる。
しかも、レバーに回転力を加えて貯留シリンダに対してステムを下方移動させたときに、レバーを操作している手を、ノズル筒に接近させることができる。よって、レバーを操作し終えてレバーから手を放すときに、その手をノズル筒に接近させておくことができる。従って、利便性を更に向上することができる。
【００１０】
前記吐出孔は、前記ノズル筒の前端部に形成され、前記レバーが前記押下ヘッドを押し下げた状態で、前記レバーの前端部と前記ノズル筒の前端部とが上下方向で互いに対向してもよい。
【００１１】
この場合には、レバーが押下ヘッドを押し下げた状態で、レバーの前端部とノズル筒の前端部とが上下方向で互いに対向している。これにより、レバーを操作し終えてレバーから手を放すときに、その手を吐出孔に接近させておくことができる。従って、利便性を更に一層向上することができる。
【００１２】
前記ステム内に連通した液用シリンダと、前記ステムに連係して上下動すると共に、前記液用シリンダ内に上下摺動可能に配設され、前記ステムの下方移動に伴って前記液用シリンダ内の内容物を前記ステム内に供給する液用ピストンと、を備えてもよい。
【００１３】
この場合には、貯留シリンダに対してステムを下方移動させると、ステムに連係して液用ピストンが液用シリンダ内を下方移動する。これにより、液用シリンダ内の内容物を、ステム内を通じて貯留シリンダ内に供給することができる。従って、一度の吐出操作で吐出される内容物の吐出量を、液用シリンダの内容積で規定し易く、例えば決まった量の内容物を吐出することが可能となる。
【００１４】
前記貯留シリンダの内容積のうち前記吐出ピストンの下方移動に伴って増加する増加容積は、前記液用シリンダの内容積のうち前記液用ピストンの下方移動に伴って減少する容積分以上の容積とされていてもよい。
【００１５】
この場合には、ステムを下方移動させた際、貯留シリンダの内容積を超える量の内容物が貯留シリンダ内に供給されることを防止することができる。従って、ステムの下方移動時に、貯留シリンダ内に内容物を確実に貯留でき、貯留シリンダ内からノズル筒内に内容物が流入し難い。そのため、ステムの下方移動時に、内容物が吐出孔から漏れることを効果的に防止し易い。
【発明の効果】
【００１６】
本発明に係る吐出器によれば、吐出された内容物を両手で受け取ることができるうえ、内容物の吐出操作、及び吐出された内容物の受け取りを片手だけで行うことができる。
【図面の簡単な説明】
【００１７】
【図１】本発明に係る吐出器の一実施形態を示す縦断面図である。
【図２】図１に示す吐出器の正面図である。
【図３】図１に示す状態から、押下ヘッドを押し下げることでステムを最上昇位置から最下降位置まで下方移動させ、貯留シリンダ内に内容物を貯留した状態を示す縦断面図である。
【図４】図３に示す状態から、押下ヘッドの押し下げを解除してステムを上方に復元移動させ、貯留シリンダ内に貯留された内容物を吐出している状態を示す縦断面図である。
【発明を実施するための形態】
【００１８】
以下、本発明に係る吐出器の第１実施形態について図面を参照して説明する。
図１及び図２に示すように、本実施形態の吐出器１は、内容物が収容される容器本体Ａの口部Ａ１に装着される装着キャップ２と、容器本体Ａの口部Ａ１に上方付勢状態で下方移動可能に配設される筒状のステム３を有するポンプ（吐出機構）４と、ステム３に連係して上下動する押下ヘッド５と、押下ヘッド５の後側に配設された支持部６と、押下ヘッドを押し下げるレバー７と、を備えている。
【００１９】
なお、本実施形態では、吐出器１が装着される容器本体Ａにおける横断面の中央を通る中心軸を軸線Ｏといい、軸線Ｏに沿った押下ヘッド５側を上方、その反対側を下方という。また、軸線Ｏ方向から見た平面視で軸線Ｏに直交する方向を径方向といい、軸線Ｏ回りに周回する方向を周方向という。
【００２０】
装着キャップ２は、環状の天壁部を有する有頂筒状に形成され、軸線Ｏと同軸に配置されると共に容器本体Ａの口部Ａ１に螺着されている。
なお、装着キャップ２の装着方法は、螺着に限定されるものではなく、例えばアンダーカット嵌合により容器本体Ａの口部Ａ１に装着されても構わない。
天壁部は、後述する液用シリンダ１４のフランジ部４１上に配置され、液用シリンダ１４の上方への抜けを防止している。
【００２１】
ポンプ４は、上記ステム３と、ステム３を上下動可能に収容すると共にステム３内に連通し、ステム３の下方移動に伴うステム３からの内容物を貯留する貯留シリンダ１０と、貯留シリンダ１０内に連通し、且つその先端に内容物を吐出する吐出孔１１が形成されたノズル筒１２と、貯留シリンダ１０内に上下摺動可能に配設された吐出ピストン１３と、ステム３を上下動可能に収容すると共にステム３内に連通した液用シリンダ１４と、ステム３に連係して上下動すると共に液用シリンダ１４内に上下摺動可能に配設された液用ピストン１５と、を備えている。
【００２２】
貯留シリンダ１０は、軸線Ｏと同軸に配設された筒状に形成され、装着キャップ２と一体に形成されている。
貯留シリンダ１０は、装着キャップ２における天壁部の内周縁部から上方に向けて延びた貯留筒部２０と、貯留筒部２０よりも上方に配置され、且つ貯留筒部２０よりも径が小さいガイド筒部２１と、貯留筒部２０の上端部とガイド筒部２１の下端部とを接続する環状の頂壁部２２と、を備えている。
【００２３】
貯留筒部２０と装着キャップ２の天壁部との接続部分には、貯留筒部２０の内部と外部とを連通する第１空気孔２３が形成されている。ガイド筒部２１は、内径がステム３の内径よりも小さくなるように形成され、その内側には押下ヘッド５の後述する連係筒部７１が上下動可能に挿通されている。
【００２４】
ガイド筒部２１と頂壁部２２との接続部分には、連係筒部７１の外周面に摺接する環状のシール部２４が下方に向けて突設されている。これにより、連係筒部７１とシール部２４との間は密にシールされている。
【００２５】
ノズル筒１２は、貯留シリンダ１０側から前方に向けて延びている。以下では、径方向のうち、ノズル筒１２が貯留シリンダ１０から延びる方向を前方、その逆方向を後方とし、軸線Ｏ方向および前後方向に直交する方向を左右方向とする。
ノズル筒１２は、貯留シリンダ１０のガイド筒部２１に一体に形成された第１ノズル筒３０と、第１ノズル筒３０に連結された第２ノズル筒３１と、第２ノズル筒３１に連結された第３ノズル筒３２と、を備え、貯留シリンダ１０に連結されている。
【００２６】
第１ノズル筒３０は、ガイド筒部２１の外周面から径方向外側に向けて延びるように形成され、その一部は頂壁部２２に一体に形成されている。頂壁部２２のうち第１ノズル筒３０と一体に形成された部分には、頂壁部２２を上下に貫通する貫通孔２５が形成されている。これにより、貯留筒部２０内と第１ノズル筒３０内とは、貫通孔２５を通じて連通している。
【００２７】
第１ノズル筒３０は、装着キャップ２よりも径方向外側に突出している。第１ノズル筒３０は、貯留シリンダ１０側に位置する基端ノズル筒１７２と、第２ノズル筒３１側に位置し、その内側に第２ノズル筒３１が嵌合された先端ノズル筒１７３と、を備えた２段筒状に形成されている。
先端ノズル筒１７３は、基端ノズル筒１７２よりも外径及び内径が大きく形成されている。これにより、第１ノズル筒３０内には、基端ノズル筒１７２と先端ノズル筒１７３との接続部分において、径方向外側を向いた環状の段差面１７４が形成されている。
【００２８】
第１ノズル筒３０内には、ノズル筒１２内を開閉する開閉弁１７１が配設されている。開閉弁１７１は先端ノズル筒１７３内において、第２ノズル筒３１と段差面１７４との間に位置するように配設されている。
開閉弁１７１は、先端ノズル筒１７３の内側に嵌合された筒体１７５と、筒体１７５に対して回動自在に連結され、段差面１７４に離反自在に着座された円板状の回動弁１７６と、を備えている。
【００２９】
回動弁１７６は、段差面１７４の全周に亘って径方向外側から離反自在に着座することで、基端ノズル筒１７２内を閉塞している。回動弁１７６は、外周縁部の一部が筒体１７５の内周面に一体に接続されており、この接続部分を中心に径方向外側に回動することで、基端ノズル筒１７２内を開放させる。
【００３０】
第２ノズル筒３１は、第１ノズル筒３０の先端ノズル筒１７３内に嵌合されると共に、中間部分が下方に向けて略９０度の角度で折曲されている。第２ノズル筒３１の先端部側は、第２ノズル筒３１の他の部分よりも外径が小さい小径筒部３１ａとされている。
【００３１】
第３ノズル筒３２は、第２ノズル筒３１の小径筒部３１ａに外嵌されると共に、その先端には吐出孔１１が形成されている。図示の例では、吐出孔１１は縦断面視テーパー状に形成され、下方に向けて開口している。吐出孔１１は、ノズル筒１２の前端部に形成されている。
第２ノズル筒３１内及び第３ノズル筒３２内には、軸線Ｏ方向に延びた円柱状の芯体３３が配設されている。芯体３３は、その外径が第２ノズル筒３１及び第３ノズル筒３２の内径よりも小さく形成されていると共に、吐出孔１１との間に若干の隙間をあけて配設されている。これにより、内容物は、芯体３３の外周面と、第２ノズル筒３１及び第３ノズル筒３２の内周面との間を流れ、吐出孔１１から外部に吐出される。
【００３２】
なお、図示の例では、ノズル筒１２は側面視Ｌ字状に形成されているが、この場合に限定されるものではなく、例えば貯留シリンダ１０から径方向外側に向けて延びたストレート状に形成されていても構わない。また、芯体３３の先端部に有頂筒状のノズルチップを装着し、内容物を例えば霧状に吐出させても構わない。
【００３３】
液用シリンダ１４は、筒状に形成され、容器本体Ａの口部Ａ１の内側に軸線Ｏと同軸に配設されている。液用シリンダ１４は、パッキン４０を介して容器本体Ａの口部Ａ１の上方開口端上に配置された環状のフランジ部４１と、フランジ部４１の内周縁部から下方に向けて延びた直筒部４２と、直筒部４２の下端部からさらに下方に向けて延びた吸込み筒部４３と、を備えている。
【００３４】
直筒部４２には、フランジ部４１よりも下方に位置する部分に、直筒部４２を径方向に貫通する第２空気孔４４が形成されている。これにより、容器本体Ａ内と液用シリンダ１４内とは、第２空気孔４４を通じて連通している。
直筒部４２内には、コイルばね５６が配設されている。直筒部４２と吸込み筒部４３との接続部分には、ばね座４５が形成されている。コイルばね５６は、ばね座４５上に配置とされている。
【００３５】
吸込み筒部４３の内側には、容器本体Ａ内の内容物を吸い上げるチューブ体４７が嵌合されている。チューブ体４７は、例えば容器本体Ａの底部付近まで延び、上端部がばね座４５に対して下方から接触している。
【００３６】
ステム３は、貯留シリンダ１０内及び液用シリンダ１４内に軸線Ｏと同軸に配設されている。ステム３は、コイルばね５６からのばね力（付勢力）を受けて上方付勢されていると共に、押下ヘッド５の押し下げ操作に伴って下方移動可能に配設されている。ステム３は、貯留筒部２０の内径及び直筒部４２の内径よりも外径が小さく、且つ後述する連係筒部７１の外径よりも内径が大きい筒状に形成されている。ステム３の内部は、貯留シリンダ１０内及び液用シリンダ１４内に連通している。
【００３７】
吐出ピストン１３は、ステム３に一体的に形成されている。吐出ピストン１３は、貯留筒部２０の内周面に対して上下摺動可能に接した吐出筒部５７と、ステム３の上端部から径方向外側に向かって突設され、吐出筒部５７に連結された環状の連結部５８と、を備えている。
吐出筒部５７は、上端部が連結部５８との接続部分から上方に向かうに従い漸次拡径し、且つ下端部が連結部５８との接続部分から下方に向かうに従い漸次拡径している。これにより、吐出ピストン１３は、貯留筒部２０の内周面に対して、その全周に亘って密に摺接している。
【００３８】
貯留シリンダ１０の頂壁部２２には、下方に向けて突出した規制片５９が周方向に間隔をあけて複数形成されている。そして、吐出ピストン１３の連結部５８は、規制片５９に対して下方から接触している。これにより、吐出ピストン１３及びステム３は、それ以上の上方移動が規制され、図１に示すように最上昇位置が位置決めされる。
【００３９】
吐出ピストン１３は、上述のようにステム３に一体的に形成されているので、ステム３に連係して上下動する。従って、ステム３と共に吐出ピストン１３が下方移動すると、図３に示すように貯留シリンダ１０内には吐出ピストン１３の上方に位置するように貯留空間Ｓが画成される。これにより、貯留空間Ｓを利用して、ステム３からの内容物を貯留シリンダ１０内に貯留することが可能となる。
なお、吐出ピストン１３は、ステム３と共に上方に復元移動すると、貯留空間Ｓ内に貯留された内容物を貯留シリンダ１０内から押し出すように、貫通孔２５を通じてノズル筒１２内に移送させる。
【００４０】
液用ピストン１５は、図１に示すように、軸線Ｏと同軸に配設されると共に、液用シリンダ１４の直筒部４２内に上下摺動可能に配設されている。
液用ピストン１５は、直筒部４２の内周面に対して上下摺動可能に接した液筒部６０と、ステム３の内側に嵌合され、その下端部が液筒部６０に連結された連結筒部６１と、を備えている。
【００４１】
連結筒部６１は、ステム３よりも下方に延びており、その下端部における外周面が液筒部６０における上下方向の中間部分に連結されている。
連結筒部６１の上方開口端は、後述する連係筒部７１の下方開口端よりも下方に位置し、且つ連係筒部７１の下方開口端に対して隙間をあけて対向配置されている。なお、連結筒部６１の下方開口端は上弁座部６２として機能する。
【００４２】
液筒部６０は、上端部が連結筒部６１との接続部分から上方に向かうに従い漸次拡径し、且つ下端部が連結筒部６１との接続部分から下方に向かうに従い漸次拡径している。これにより、吐出ピストン１３は、直筒部４２の内周面に対して、その全周に亘って密に摺接している。
【００４３】
液用ピストン１５は、上述のように連結筒部６１がステム３に嵌合されているので、ステム３に連係して上下動する。そして、ステム３と共に液用ピストン１５が下方移動するときに、図３に示すように液用シリンダ１４内に吸い上げられている内容物を、ステム３内を通じて貯留シリンダ１０側に移送させることができる。
【００４４】
なお、液筒部６０は、図１に示すように、ステム３が最上昇位置に位置しているときに、直筒部４２に形成された第２空気孔４４を径方向内側から閉塞し、図３に示すようにステム３に伴って液用ピストン１５が下方移動したときに、第２空気孔４４を開放させる。これにより、ステム３が下降移動してから元の位置（最上昇位置）に復元移動するまでの間、容器本体Ａ内は第２空気孔４４及び第１空気孔２３を通じて外部に連通する。
【００４５】
図１に示すように、液用ピストン１５内には、上部弁体６５が軸線Ｏと同軸に配置された状態で上下動可能に配設されている。
上部弁体６５は、連結筒部６１の上弁座部６２に対して下方から着座する平面視円形状の上弁体６６と、上弁体６６から上方に向けて延び、連結筒部６１内に下方から挿通された挿入筒部６７と、を備えている。
【００４６】
挿入筒部６７は、連結筒部６１よりも上方に突出していると共に、連結筒部６１の内径よりも外径が小さく形成されている。そのため、挿入筒部６７と連結筒部６１との間には、環状の第１流通路Ｒ１が形成されている。
【００４７】
上弁体６６は、液筒部６０の内側に上下摺動可能に配設されていると共に、上弁座部６２に対して下方に離反可能に着座している。上弁体６６の外周縁部の一部には、上弁体６６を軸線Ｏ方向に貫通する流通孔６８が形成されている。
上弁体６６の中央部分には、下方に向けて突出した支持壁６９が形成されている。なお、支持壁６９は平面視十字状となるように形成されている。
【００４８】
上部弁体６５とばね座４５との間には、コイルばね５６が圧縮状態で配設されている。コイルばね５６は、下端部側がばね座４５に支持され、且つ上端部側が支持壁６９に外挿されている。これにより、上部弁体６５はコイルばね５６によって上方に付勢され、上弁体６６は上弁座部６２に対して押し付けられた状態で着座している。
【００４９】
そのため、第１流通路Ｒ１内と液用シリンダ１４内とは、上弁体６６によって連通が遮断されている。一方、図３に示すように、コイルばね５６のばね力（付勢力）に抗して上部弁体６５が下方移動した場合には、上弁体６６が上弁座部６２から下方に離間するので、第１流通路Ｒ１内と液用シリンダ１４内とが流通孔６８を通じて連通する。
このように、上部弁体６５は、コイルばね５６のばね力を利用して第１流通路Ｒ１内と液用シリンダ１４内とを遮断し、且つ押下ヘッド５の押し下げ操作に伴う下方移動によって、第１流通路Ｒ１内と液用シリンダ１４内とを連通させる。
【００５０】
図１に示すように、押下ヘッド５は、軸線Ｏ方向に延びると共に、貯留シリンダ１０のガイド筒部２１内に上方から挿入された連係筒部７１と、連係筒部７１から上方に向けて突出するヘッド部７０と、ヘッド部７０から左右方向両側に向けて突出した一対の第１係止部７３と、を備えている。
【００５１】
連係筒部７１は、有頂筒状に形成されている。連係筒部７１の上端部は、貯留シリンダ１０の上方に、貯留シリンダ１０から一定の間隔（ストローク）をあけて配置されている。これにより、押下ヘッド５は一定のストローク分、押下げ操作可能とされている。
【００５２】
連係筒部７１は、ガイド筒部２１に上下動可能に支持されていると共に、ステム３内にも挿入されている。連係筒部７１の下端部は上部弁体６５の挿入筒部６７に外嵌されている。これにより、連係筒部７１及び上部弁体６５は一体に連結され、上部弁体６５は押下ヘッド５に伴って上下動可能とされている。
【００５３】
ヘッド部７０は、連係筒部７１の頂壁部から上方に向けて突出している。ヘッド部７０は、連係筒部７１よりも軸線Ｏ方向に小さい。
一対の第１係止部７３は、ヘッド部７０の左右の側面から後述する一対の側板部９２に向けてそれぞれ突出する。第１係止部７３は、略円柱状に形成されている。
【００５４】
先に述べたように、ステム３の内径は連係筒部７１の外径よりも大きいので、連係筒部７１とステム３との間には環状の第２流通路Ｒ２が形成されている。そして、連係筒部７１の下方開口端と、液用ピストン１５における連結筒部６１の上方開口端との間には隙間が形成されている。これにより、第１流通路Ｒ１と第２流通路Ｒ２とは、この隙間を通じて互いに連通している。
【００５５】
連係筒部７１の下方開口端には、下方に向けて突出すると共に周方向に間隔をあけて配置された複数の突起片７２が形成されている。そのため、押下ヘッド５の押し下げによって連係筒部７１が下方移動しはじめると、図３に示すように突起片７２が連結筒部６１の上方開口端に上方から接触する。
なお、この場合であっても、第１流通路Ｒ１と第２流通路Ｒ２とは、周方向に隣り合う突起片７２同士の間を通じて互いに連通している。
【００５６】
また、上部弁体６５は連係筒部７１と共に下方移動するので、突起片７２が連結筒部６１の上方開口端に接触した際、上弁体６６が上弁座部６２から下方に向けて離反する。これにより、第１流通路Ｒ１内と液用シリンダ１４内とが流通孔６８を通じて連通する。そのため、液用シリンダ１４内は、第１流通路Ｒ１内及び第２流通路Ｒ２内を通じて貯留シリンダ１０内に連通する。
【００５７】
さらに、突起片７２が連結筒部６１の上方開口端に接触した後、押下ヘッド５の押し下げによって連係筒部７１がさらに下方移動すると、突起片７２によって液用ピストン１５も押し下げられ、液用ピストン１５及びステム３が、押下ヘッド５及び上部弁体６５と一体となって下方移動する。
【００５８】
そのため、液用ピストン１５が液用シリンダ１４内を下方移動する。また、吐出ピストン１３が貯留シリンダ１０内を下方移動し、貯留シリンダ１０の内容積が増加して内圧が下降する（減圧される）。従って、この貯留シリンダ１０内の負圧（減圧）を利用して、液用シリンダ１４内を減圧させ、液用シリンダ１４内の内容物を、第１流通路Ｒ１内及び第２流通路Ｒ２内を通じて貯留シリンダ１０側に供給することが可能となる。
【００５９】
なお、貯留シリンダ１０における貯留空間Ｓの内容積のうち、吐出ピストン１３の下方移動に伴って増加する増加容積は、液用シリンダ１４の内容積のうち液用ピストン１５の下方移動に伴って減少する容積分以上の容積となるように設定されている。
具体的には、例えば貯留筒部２０の外径や、貯留筒部２０の長さ（軸線Ｏ方向に沿った長さ）を変更することで、貯留シリンダ１０の内容積の調整を行うことが可能である。
【００６０】
図１に示すように、支持部６は、装着キャップ２から上方に向けて突出している。支持部６は、装着キャップ２から上方斜め後方に向けて延びている。支持部６は、本体枠８１と、補強壁８２と、軸体８３と、を備えている。
本体枠８１は、表裏面が左右方向に平行な複数の壁部によって形成されている。本体枠８１は、装着キャップ２から上方に向けて延びる第１傾斜壁部８４と、ガイド筒部２１から後方に向けて延びる水平壁部８５と、水平壁部８５から上方に向けて延びる第２傾斜壁部８６と、第１傾斜壁部８４と第２傾斜壁部８６とを連結する連結壁部８７と、を備えている。
【００６１】
第１傾斜壁部８４は、装着キャップ２の後端部から上方斜め後方に向けて延びている。
水平壁部８５は、貯留シリンダ１０（ガイド筒部２１）の上端部から後方に向けて延びている。水平壁部８５の後端部は、第１傾斜壁部８４の下端部と前後方向に同等の位置に配置されている。
【００６２】
第２傾斜壁部８６は、水平壁部８５の後端部から上方斜め後方に向けて延びている。第２傾斜壁部８６は、第１傾斜壁部８４と平行である。第２傾斜壁部８６の上端部は、第１傾斜壁部８４の上端部と軸線Ｏ方向に同等の位置に配置されている。
連結壁部８７は、第１傾斜壁部８４および第２傾斜壁部８６の上端部同士を連結している。連結壁部８７は、吐出器１を左右方向から見た側面視において、下方に向けて突となる曲面状に形成されている。
【００６３】
本体枠８１は、第１傾斜壁部８４、水平壁部８５、第２傾斜壁部８６及び連結壁部８７が一体に連結されてなる。本体枠８１の内面は、装着キャップ２の外面および貯留シリンダ１０の外面との間に、左右方向に開口する空間部８８を画成する。
補強壁８２は、本体枠８１を補強する。補強壁８２は、前記空間部８８のうち、貯留シリンダ１０の外面に沿う一部分を除く全域にわたって配置されている。前記側面視において、補強壁８２の外周縁は、本体枠８１の内面の全域にわたって連結されている。補強壁８２の外周縁は、装着キャップ２の外面およびガイド筒部２１の外面にも連結されている。補強壁８２の外周縁は、貯留筒部２０の外面および頂壁部２２の外面との間に、左右方向に開口する間隙部８８ａを形成している。
【００６４】
軸体８３は、本体枠８１に固定されている。軸体８３は、連結壁部８７の上面に固定されている。軸体８３は、円柱状に形成され、本体枠８１から左右方向両側に突出している。軸体８３は、ステム３より後方に配置されている。軸体８３は、押下ヘッド５が最上昇位置に位置するときに、第１係止部７３よりも下方に位置している。
【００６５】
なお本実施形態では、支持部６は、装着キャップ２の後部から上方かつ後方に向けて突設することで、装着キャップ２の後部に立設されているが、支持部６を、装着キャップ２の後方に立設されている他の形態に適宜変更可能であり、例えば、貯留シリンダ１０から後方に向けて突設させてもよい。
【００６６】
レバー７は、貯留シリンダ１０の上方に配設されるとともに支持部６に回転軸Ｌ回りに回転可能（揺動可能）に支持されている。レバー７は、軸体８３に取り付けられている。軸体８３の中心を通り、かつ左右方向に延びる仮想の軸線Ｏがレバー７の回転軸Ｌとなる。回転軸Ｌは、ステム３より後方に配置されている。レバー７は、回転軸Ｌ回りに沿う一方側である下方に向けて回転することで、押下ヘッド５を押下する。
【００６７】
レバー７は、押下ヘッド５の上部を跨いで前後方向に延びている。レバー７は、押下ヘッド５およびノズル筒１２を上方から覆う天板部９１と、天板部９１の左右両側の側端縁から下方に向けて延在し、左右方向に向かい合う一対の側板部９２と、を有する。天板部９１と一対の側板部９２とで囲まれる内部空間に押下ヘッド５のヘッド部７０が配置されている。よって、一対の側板部９２は、押下ヘッド５を左右方向から挟むように配置されている。
【００６８】
天板部９１は、前後方向の中間部において屈曲されている。天板部９１は、前記側面視において、下方に向けて突となるように屈曲している。天板部９１は、後側に位置する本体部９３と、前側に位置する操作部９４と、本体部９３と操作部９４とを連結する屈曲部９５と、を備えている。
【００６９】
本体部９３は、軸体８３から前方に向けて延びている。レバー７が最上昇位置に位置するときに、本体部９３は、軸体８３から前方斜め上方に向けて延びている。操作部９４は、本体部９３から前方に向けて延びている。レバー７が最上昇位置に位置するときに、操作部９４は、本体部９３から前方斜め上方に向けて延びている。レバー７が最上昇位置に位置する状態での前記側面視において、前後方向に延びる水平軸に対する本体部９３の傾斜角度は、操作部９４の傾斜角度よりも大きい。
【００７０】
一対の側板部９２は、押下ヘッド５および支持部６を左右方向に挟んでいる。一対の側板部９２の後部（本体部９３）側の内面には、軸体８３が挿通される軸孔部９６が形成されている。軸孔部９６は、前後方向に長い長穴状に形成されている。軸体８３は、軸孔部９６内に、前後方向に摺動可能に嵌合されている。これにより、レバー７は、軸体８３回り、すなわち回転軸Ｌ回りに回転可能に支持されている。
【００７１】
レバー７は、一対の第１係止部７３に上方から係合する一対の第２係止部９７を有する。一対の第２係止部９７は、一対の側板部９２の内側面にそれぞれ設けられている。第２係止部９７は、側板部９２の内側面に溝状に形成されている。第２係止部９７は、下方に向けて開口する縦溝状に形成されている。前記側面視において、第２係止部９７の上端縁は、上方に凸となる略半円弧状に形成されている。第１係止部７３は、第２係止部９７内に配置され、第２係止部９７の上端縁に摺動自在に当接している。
【００７２】
これにより、レバー７を回転軸Ｌ回りに下方に回転させた際、第２係止部９７が第１係止部７３に係止して第１係止部７３を上方から押下させることが可能とされている。したがって、レバー７は、押下ヘッド５を押し下げることができる。なおこのとき、押下ヘッド５を軸線Ｏ方向に真直に下方移動させるため、図４に示すように、軸体８３が軸孔部９６内で前後方向に摺動しながら、レバー７が回転軸Ｌ回りに回転する。
レバー７の下方への回転を解除した場合には、先に述べたようにコイルばね５６が押下ヘッド５を上方付勢しているので、レバー７が上方付勢される。これにより、レバー７は回転軸Ｌ回りに上方に逆回転して、元の位置に復帰する。
【００７３】
（吐出器の使用）
次に、上述した吐出器１を使用する場合について説明する。なお、液用シリンダ１４内には容器本体Ａ内から内容物が吸い上げられているものとする。
【００７４】
内容物を吐出する場合には、図３に示すように、レバー７に回転力（押下力）を付与してレバー７を回転軸回りに回転させ、レバー７によって押下ヘッド５を押し下げることで、ステム３を下方移動させる。このとき、レバー７を介してヘッド部７０をコイルばね５６のばね力に抗するように押下げ操作して、押下ヘッド５全体を下方移動させる。これにより、連係筒部７１がガイド筒部２１で支持されながら下方移動しはじめるので、突起片７２が液用ピストン１５の連結筒部６１の上方開口端に対して上方から接触する。また、連係筒部７１に伴って上部弁体６５が下方移動しはじめるので、上弁体６６が液用ピストン１５の上弁座部６２から下方に離間する。
従って、液用シリンダ１４内と第１流通路Ｒ１内とが流通孔６８を通じて連通した状態となる。
【００７５】
そして、押下ヘッド５のさらなる押下げ操作によって、突起片７２が液用ピストン１５を押下げるので、押下ヘッド５及び上部弁体６５と共に、液用ピストン１５及びステム３を同時に下方移動させることができる。この際、上弁体６６が液用ピストン１５の上弁座部６２から下方に離間した状態を維持したまま、押下ヘッド５、上部弁体６５、液用ピストン１５及びステム３を下方移動させることができる。
【００７６】
すると、液用シリンダ１４内を液用ピストン１５が下方移動する。また、吐出ピストン１３が貯留シリンダ１０内を下方移動し、貯留シリンダ１０の内容積が徐々に増加して内圧が下降する（減圧される）。この貯留シリンダ１０内の負圧（減圧）を利用して、液用シリンダ１４内を減圧させ、液用シリンダ１４内の内容物を、ステム３内を通じて（具体的には、流通孔６８、第１流通路Ｒ１及び第２流通路Ｒ２を通じて）、貯留シリンダ１０側に供給することができる。
これにより、ステム３からの内容物を、貯留空間Ｓを利用して貯留シリンダ１０内に一旦貯留することができる。
【００７７】
またこのとき、貯留シリンダ１０内の負圧を利用して、回動弁１７６を段差面１７４側に引き寄せることができ、段差面１７４に対して密に接触させることができる。これにより、貯留シリンダ１０内に内容物を貯留する間、開閉弁１７１を利用して基端ノズル筒１７２内を閉塞できる。
そのため、押下ヘッド５の押し下げ操作時など、内容物の吐出を意図しない時に、内容物が吐出孔１１から外部に漏れてしまうことを効果的に防止することができる。
【００７８】
ここで本実施形態では、レバー７が、押下ヘッド５を押し下げた状態で、ノズル筒１２にノズル筒１２の上方から対向し、レバー７の前端部とノズル筒１２の前端部とが上下方向で互いに対向する。図示の例では、押下ヘッド５を例えばストローク分だけ押し下げてステム３を最下降位置まで下方移動させた状態で、操作部９４が、前後方向に沿って延び、ノズル筒１２と平行になっている。これにより、レバー７を操作している手を、ノズル筒１２に接近させることができる。なお本実施形態では、操作部９４を親指の腹で押し下げた場合、その手の平が吐出孔１１の下方に位置する。
【００７９】
次いで、レバー７への回転力の付与を解除し、押下ヘッド５の押下を解除すると、コイルばね５６の上方付勢力（弾性復元力）によって、上部弁体６５が押し上げられる。そのため、図４に示すように、上部弁体６５及び押下ヘッド５が上方に復元移動するので、液用シリンダ１４及びステム３に対して相対的に上方移動する。
よって、上部弁体６５の上弁体６６が液用ピストン１５の上弁座部６２に対して下方から着座すると共に、連係筒部７１の突起片７２が液用ピストン１５の連結筒部６１の上方開口端から上方に離間する。特に、上弁体６６が上弁座部６２に着座することで、液用シリンダ１４内と第１流通路Ｒ１内との連通が遮断される。
【００８０】
また、上弁体６６が上弁座部６２に着座することで、上部弁体６５及び押下ヘッド５と共に、液用ピストン１５及びステム３が一体となって上方に向けて復元移動する。
そのため、ステム３の復元移動に伴って、吐出ピストン１３が貯留シリンダ１０内を上方移動するので、貯留シリンダ１０内に貯留された内容物を貯留シリンダ１０内から押し出すように、貫通孔２５を通じてノズル筒１２内に供給することができる。このとき、内容物が回動弁１７６を回動させて、段差面１７４から離反させることができる。これにより、吐出孔１１を通じて内容物を外部に吐出することができる。
【００８１】
また、液用ピストン１５が液用シリンダ１４内を上方移動することで、液用シリンダ１４内は減圧されて負圧状態となるので、チューブ体４７を通じて、容器本体Ａ内の内容物を液用シリンダ１４内に吸い上げることができ、次回の吐出に備えることができる。
【００８２】
なお、ステム３及び液用ピストン１５が下方移動してから、元の位置に復元移動するまでの間、図３及び図４に示すように第２空気孔４４が開放されるので、容器本体Ａ内は第２空気孔４４及び第１空気孔２３を通じて外部に連通する。そのため、容器本体Ａ内の空気置換を行うことができ、容器本体Ａ内から液用シリンダ１４内に内容物を吸上げたとしても、容器本体Ａ内が減圧されてしまうことを防止できる。従って、押下ヘッド５のスムーズな復元移動、及び内容物のスムーズな吐出を行うことができる。
【００８３】
上述したように、本実施形態の吐出器１によれば、貯留シリンダ１０内に内容物を一旦貯留できるので、押下ヘッド５の押し下げ操作によってステム３を下方移動させたときに内容物が吐出されてしまうことを防止でき、その後、ステム３を上方に復元移動させたときに内容物を吐出させることができる。
【００８４】
従って、吐出された内容物を、片手だけでなく両手で受け取ることができる。さらに、例えば片手が何等かの理由で塞がっている場合（例えば子供を抱いている場合や、荷物を持っている場合等）であっても、もう一方の片手だけで、内容物の吐出操作（すなわち押下ヘッド５の押し下げ操作）及び吐出された内容物の受け取りを行うことができる。そのため、非常に使い易く、利便性を向上することができる。
【００８５】
しかも、レバー７に回転力を加えて貯留シリンダ１０に対してステム３を下方移動させたときに、レバー７を操作している手を、ノズル筒１２に接近させることができる。よって、レバー７を操作し終えてレバー７から手を放すときに、その手をノズル筒１２に接近させておくことができる。従って、利便性を更に向上することができる。
【００８６】
また、レバー７が押下ヘッド５を押し下げた状態で、レバー７の前端部とノズル筒１２の前端部とが上下方向で互いに対向している。これにより、レバー７を操作し終えてレバー７から手を放すときに、その手を吐出孔１１に接近させておくことができる。従って、利便性を更に一層向上することができる。
【００８７】
また、本実施形態では、液用シリンダ１４及び液用ピストン１５を具備しているので、液用シリンダ１４内に吸上げた内容物を、貯留シリンダ１０内に貯留することができる。
従って、一度の吐出操作で吐出される内容物の量を、液用シリンダ１４の内容積で規定し易く、例えば決まった量の内容物を吐出させ易い。
【００８８】
しかも、貯留シリンダ１０における貯留空間Ｓの内容積のうち吐出ピストン１３の下方移動に伴って増加する増加容積が、液用シリンダ１４の内容積のうち液用ピストン１５の下方移動に伴って減少する容積分以上の容積とされているので、ステム３を下方移動させた際に、貯留シリンダ１０の内容積を超える量の内容物が貯留シリンダ１０内に供給されることを防止することができる。
従って、ステム３の下方移動時に、貯留シリンダ１０内に内容物を確実に貯留でき、貯留シリンダ１０内からノズル筒１２内に内容物が流入し難い。そのため、ステム３の下方移動時に、内容物が吐出孔１１から漏れることを効果的に防止し易い。
【００８９】
更に、ノズル筒１２は固定部材である貯留シリンダ１０に一体に連結され、可動部材である押下ヘッド５とは別体構成とされている。そのため、ノズル筒１２を動かすことなく使用することができ、決まった位置に固定された吐出孔１１から内容物を吐出することができる。従って、吐出された内容物を受け取り易く、使い易さを向上することができる。
【００９０】
なお、本発明の技術的範囲は前記実施形態に限定されるものではなく、本発明の趣旨を逸脱しない範囲において種々の変更を加えることが可能である。
【００９１】
例えば、上記実施形態では、吐出機構として液用シリンダ及び液用ピストンを具備するポンプ機構を採用したが、この場合に限定されるものではない。例えば、容器本体内に内容物が圧縮された状態で充填され、ステムを押し下げることで内容物がステムから噴出するエアゾール機構を採用しても構わない。この場合であっても、貯留シリンダ内にステムからの内容物を一旦貯留できるので、本実施形態と同様の作用効果を奏功することができる。
【００９２】
上記実施形態では、ノズル筒１２に開閉弁１７１が設けられ、ステム３と共に吐出ピストン１３が貯留シリンダ１０内を下方移動したときに、貯留シリンダ１０内の負圧（減圧）を利用して、液用シリンダ１４内の内容物を貯留シリンダ１０に供給している。しかしながら本発明はこれに限られない。例えば、液用シリンダ１４に下部弁体を設け、液用シリンダ１４内の加圧時に下部弁体が液用シリンダ１４と容器本体Ａとの連通を遮断し、液用シリンダ１４内の減圧時に下部弁体が液用シリンダ１４と容器本体Ａとを連通させる構成を採用してもよい。この場合、ステム３と共に液用ピストン１５が液用シリンダ１４内を下方移動したときに、下部弁体が液用シリンダ１４と容器本体Ａとの連通を遮断して液用シリンダ１４内が加圧される。これにより、液用シリンダ１４内の内容物を貯留シリンダ１０に供給することができる。
【００９３】
上記実施形態では、吐出器１が内容物を液状のまま吐出するが、本発明はこれに限られない。例えば、内容物を泡状にして吐出する吐出器に本発明を適用することも可能である。例えば、吐出器が、ステム内に連通した液用シリンダと、ステムに連係して上下動すると共に、液用シリンダ内に上下摺動可能に配設され、ステムの下方移動に伴って液用シリンダ内の内容物を前記ステム内に供給する液用ピストンと、ステムに連係する空気用ピストンが内部に上下摺動自在に収容された空気用シリンダと、を備え、ステムには、液用シリンダから供給される内容物と空気用シリンダから供給される空気とを混合する気液混合室と、気液混合室で混合された気液混合体を発泡させて内容物を泡状にした状態で、貯留シリンダ内に供給させる発泡部材と、が設けられた構成に本発明を適用することもできる。
【００９４】
上記実施形態では、吐出孔１１が、ノズル筒１２の前端部に形成されているが、本発明はこれに限られない。例えば、吐出孔１１が、ノズル筒１２の前後方向における中間部に形成されていてもよい。
【００９５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００９６】
１     吐出器
２     装着キャップ
３     ステム
４     ポンプ
５     押下ヘッド
６     支持部
７     レバー
１０   貯留シリンダ
１１   吐出孔
１２   ノズル筒
１３   吐出ピストン
１４   液用シリンダ
１５   液用ピストン
Ａ     容器本体
Ａ１   口部
Ｌ     回転軸
Ｏ     軸線
【図１】
2018002201.tif 000003
【図２】
2018002201.tif 000004
【図３】
2018002201.tif 000005
【図４】
2018002201.tif 000006